(57)【要約】【課題】本発明は、陳列パンの傾斜角度を変えた場合においても、その陳列パンの上に陳列されている商品に対する冷却性能を維持できるようにする。【解決手段】商品陳列室４内の最下段に位置する陳列パン６を支持する陳列パン支持部１３を有し、この陳列パン支持部１３は、前端部がショーケース本体２の手前側に上下方向回動可能に取付けられる手前側フレーム１４と、手前側フレーム１４に前後方向スライド可能に取付けられて後端部が上下方向位置切替可能に取付けられる奥側フレーム１５と、奥側フレーム１５に設けられて陳列パン６が引っ掛けられる陳列パン引掛部１６ｂとを有する。【選択図】図２
2020031985.tif 000002
【特許請求の範囲】
【請求項１】
前面に開口が形成されて内部に商品陳列室が形成されたショーケース本体と、
前記陳列室内に上下方向に配列された複数段の商品陳列部と、
前記商品陳列室の内周部に沿ってこの商品陳列室との間を背面板により仕切って形成された冷気ダクトと、
前記背面板に形成され、前記冷気ダクト内を流れる冷気の一部が前記商品陳列室内に吹出す複数の冷気孔と、
最下段の前記商品陳列部である陳列パンを支持する陳列パン支持部と、
を有し、
前記陳列パン支持部は、
前端部が前記ショーケース本体の手前側に上下方向回動可能に取付けられる手前側フレームと、
前記手前側フレームに前後方向スライド可能に取付けられ、後端部が前記背面板に上下方向位置切替可能に取付けられる奥側フレームと、
前記奥側フレームに設けられ、前記陳列パンが引っ掛けられる陳列パン引掛部と、
を有することを特徴とする陳列パンの支持構造。
【発明の詳細な説明】
【技術分野】
【０００１】
本発明は、陳列パンを支持する陳列パンの支持構造に関する。
【背景技術】
【０００２】
従来、スーパーマーケットやコンビニエンスストア等の店舗では各種のショーケースが使用されている。これらのショーケースの中には、商品陳列室内に上下方向に沿って複数段の商品陳列部が設けられ、最下段の商品陳列部として陳列パン（デッキパンともいう）が設けられたショーケースが知られている。陳列パンは、陳列パン支持部により支持され、陳列パン支持部は水平状態と後方上がりに傾斜した状態とに切替可能に設けられている場合が多い。このような陳列パンを備えたショーケースとしては、例えば、下記特許文献１に記載されたものがある。
【先行技術文献】
【特許文献】
【０００３】
【特許文献１】特開平６−３０４０５４号公報
【発明の概要】
【発明が解決しようとする課題】
【０００４】
特許文献１に記載されたショーケースでは、陳列パンを後方上がりに傾斜させると、その傾斜角度が大きくなるにつれて陳列パンの後端部が背面板から次第に離反し、陳列パンの後端部と背面板との間に隙間が生じる。
【０００５】
ここで、背面板は冷気が流れる冷気ダクトを形成する部材であり、この背面板には冷気ダクト内を流れる冷気が商品陳列室内に吹出す複数の冷気孔が形成されている。そして、陳列パンの上方に位置する冷気孔から吹出した冷気は、陳列パンの上面側を流れて陳列パンの上に陳列されている商品を冷却している。
【０００６】
しかしながら、陳列パンを後方上がりの姿勢に傾斜させた場合に、陳列パンの後端部と背面板との間に隙間が生じると、冷気孔から陳列パンの上方に向けて吹出した冷気が、その隙間から陳列パンの下側に入り込んでしまい、陳列パンの上に陳列されている商品に対する冷却性能が低下するという問題が生じている。
【０００７】
本発明は、このような課題を解決するためになされたものであり、その目的は、陳列パンの傾斜角度を変えた場合においても、その陳列パンの上に陳列されている商品に対する冷却性能を維持することができる陳列パンの支持構造を提供することである。
【課題を解決するための手段】
【０００８】
本発明に係る陳列パンの支持構造は、前面に開口が形成されて内部に商品陳列室が形成されたショーケース本体と、前記陳列室内に上下方向に配列された複数段の商品陳列部と、前記商品陳列室の内周部に沿ってこの商品陳列室との間を背面板により仕切って形成された冷気ダクトと、前記背面板に形成され、前記冷気ダクト内を流れる冷気の一部が前記商品陳列室内に吹出す複数の冷気孔と、最下段の前記商品陳列部である陳列パンを支持する陳列パン支持部と、を有し、前記陳列パン支持部は、前端部が前記ショーケース本体の手前側に上下方向回動可能に取付けられる手前側フレームと、前記手前側フレームに前後方向スライド可能に取付けられ、後端部が前記背面板に上下方向位置切替可能に取付けられる奥側フレームと、前記奥側フレームに設けられ、前記陳列パンが引っ掛けられる陳列パン引掛部と、を有する。
【発明の効果】
【０００９】
本発明に係る陳列パンの支持構造によれば、陳列パンを支持する陳列パン支持部は、手前側フレームと奥側フレームと陳列パン引掛部とにより構成されている。そして、手前側フレームは前端部をショーケース本体の手前側に上下方向回動可能に取付けられ、奥側フレームは手前側フレームに前後方向スライド可能に取付けられ、奥側フレームの後端部が背面板に上下方向位置切替可能に取付けられている。このため、陳列パン支持部の後端部を上下動させて陳列パン支持部の傾斜角度を切替えた場合においても、奥側フレームが前後方向にスライドすることにより、陳列パン支持部は、前端部がショーケース本体の手前側に取付けられ、後端部が背面板に取付けられた状態に維持される。さらに、前後方向にスライドする奥側フレームに陳列パン引掛部が設けられ、この陳列パン引掛部に陳列パンが引っ掛けられている。このため、陳列パン支持部の傾斜角度を切替えることにより奥側フレームを後方にスライドさせた場合でも、陳列パン引掛部と背面板との間隔を一定に維持することができ、この陳列パン引掛部に引っ掛けられた陳列パンの後端部と背面板との間隔を一定に維持することができる。これにより、陳列パンの後端部と背面板との間に隙間が生じることを防止することができ、背面板の冷気孔を通って陳列パンの上面側に吹出した冷気がその隙間から陳列パンの下側に入り込むということを防止することができる。そして、その入り込みによって陳列パンの上に陳列されている商品に対する冷却性能が低下するということを防止することができ、陳列パンの傾斜角度を切替えた場合においてもその陳列パンの上に陳列されている商品に対する冷却性能を維持することができる。
【図面の簡単な説明】
【００１０】
【図１】陳列パンを水平状態としたときのショーケースを示す断面側面図である。
【図２】陳列パンを後方上がりに傾斜した状態としたときのショーケースを示す断面側面図である。
【図３】陳列パンを水平状態としたときの陳列パン支持部を示す斜視図である。
【図４】陳列パンを後方上がりに傾斜した状態としたときの陳列パン支持部を示す斜視図である。
【図５】陳列パンを陳列パン引掛部に引っ掛ける状態を示す分解斜視図である。
【発明を実施するための形態】
【００１１】
本発明の一実施形態について、図面に基づいて説明する。図１及び図２はショーケース１の全体構造を示す断面側面図である。ショーケース１は、断熱材で形成された断面形状コの字型のショーケース本体２を有し、ショーケース本体２の正面側には開口３が形成され、ショーケース本体２の内部には商品陳列室４が形成されている。商品陳列室４内には、商品が陳列される複数段の商品陳列部５、６が上下方向に沿って設けられ、最下段の商品陳列部６が陳列パンとされている。
【００１２】
また、ショーケース１には、商品陳列室４の内周面に沿って冷気が流れる冷気ダクト７が設けられており、この冷気ダクト７と商品陳列室４との間は背面板８により仕切られている。この背面板８には、冷気ダクト７内を流れる冷気の一部が商品陳列室４内に吹出す複数の冷気孔８ａが形成されており、この冷気孔８ａのいくつかは、後述する陳列パン支持部を支持する部分として兼用されている。
【００１３】
冷気ダクト７内には、冷気ダクト７内の空気を冷やすことにより冷気を生成する冷却器９と、生成された冷気を送風するファン１０とが配置されている。ファン１０が駆動されることにより、冷気ダクト７内の冷気は矢印で示す方向に送風される。
【００１４】
冷気ダクト７の上部側と下部側とは手前側に屈曲しており、冷気ダクト７の上部手前側には、冷気ダクト７内を矢印で示すように送風された冷気が下向きに吹き出す吹出口１１が設けられている。また、冷気ダクト７の下部手前側には、吹出口１１から吹き出した冷気が吸い込まれる吸込口１２が設けられている。吹出口１１から吹き出して吸込口１２に吸い込まれる冷気は、矢印で示すように開口３を覆う冷気のエアカーテンを形成している。
【００１５】
商品陳列室４の下部には、陳列パン６を支持する陳列パン支持部１３が配置され、この陳列パン支持部１３は、図３及び図４に示すように、棒状部材からなる手前側フレーム１４と、棒状部材からなる奥側フレーム１５と、棒状部材からなる陳列パン引掛部１６とにより構成されている。
【００１６】
手前側フレーム１４は、前後方向に延出する直線状の３本の棒部材１４ａと、それらの棒部材１４ａと直交する向きに配置されて溶接された直線状の２本の棒部材１４ｂとにより構成されている。両サイドの２本の棒部材１４ａの前端部は、ショーケース本体２の手前側に形成された取付孔（図示せず）に差し込まれて上下方向回動可能に取付けられるとともに、その前端部には取付孔から前方側に入りすぎることを防止するための突部１７が設けられている。
【００１７】
奥側フレーム１５は、Ｕ字形に折り曲げられた棒部材１５ａと、この棒部材１５ａの中央部に溶接された直線状の棒部材１５ｂとにより構成されている。この奥側フレーム１５は、手前側フレーム１４に溶接された３つの保持部１８にスライド可能に挿入され、手前側フレーム１４に対して、前後方向（図４及び図５に示す矢印方向）にスライド可能とされている。また、棒部材１５ａは背面板８の冷気孔８ａに差し込み可能な構造とされており、棒部材１５ａの先端部には差し込んだ冷気孔８ａから手前側に抜け落ちることを防止するための突部１５ｃが設けられている。
【００１８】
陳列パン引掛部１６は、棒状部材をＵ字形に折り曲げることにより形成されており、一対の脚部１６ａとその間に位置する引掛部１６ｂとにより構成されている。そして、脚部１６ａの端部が奥側フレーム１５の棒部材１５ａに溶接されている。これにより、陳列パン引掛部１６は、奥側フレーム１５を矢印方向にスライドさせた場合には奥側フレーム１５と一体となってスライドするようになっている。
【００１９】
図５は、陳列パン支持部１３と陳列パン６とを示す分解斜視図である。陳列パン６の端部には下向きに屈曲した屈曲部６ａが形成されている。陳列パン６を陳列パン支持部１３により支持する場合には、屈曲部６ａが陳列パン引掛部１６の引掛部１６ｂに引っ掛けられるようになっている。
【００２０】
このような構成において、このショーケース１では、陳列パン６の姿勢を、図１に示したように水平状態になる姿勢と、図２に示したように後方上がりに傾斜した状態となる姿勢とに切替えることができる。
【００２１】
陳列パン６の姿勢を図１に示した水平状態から図２に示した傾斜角度に切替える場合には、陳列パ６を陳列パン支持部１３から一旦取外し、奥側フレーム１５を手前側フレーム１４に対して後方側へスライドさせる。奥側フレーム１５を後方側へスライドさせることにより陳列パン支持部１３の前後方向の長さを長くした後、奥側フレーム１５の棒部材１５ａの先端部を差し込む冷気孔８ａを上方に位置する他の冷気孔８ａに変更する。
【００２２】
このようにして陳列パン支持部１３の傾斜角度を切替えた後に、この陳列パン支持部１３に陳列パン６を取付けるが、この取付けは、陳列パン６の屈曲部６ａを陳列パン引掛部１６の引掛部１６ｂに引っ掛けることにより行う。
【００２３】
ここで、陳列パン引掛部１６は奥側フレーム１５に固定されているため、陳列パン支持部１３の傾斜角度を切替えるために奥側フレーム１５を後方側へスライドさせた場合において、陳列パン引掛部１６は奥側フレーム１５と一体にスライドする。このため、後側フレーム１５後方側へスライドさせた場合でも、陳列パン引掛部１６の引掛部１６ｂと背面板８との間隔を一定に維持することができる。これにより、引掛部１６ｂに引っ掛けられた陳列パン６の後端部と背面板８との間隔を一定に維持することができ、図２に示すように、陳列パン６の後端部と背面板８との間に隙間が生じることを防止することができる。
【００２４】
したがって、背面板８の冷気孔８ａを通って陳列パンの上面側に吹出した冷気が、陳列パン６の後端部と背面板８との間に生じた隙間から陳列パンの下側に入り込むということを防止することができ、冷気孔８ａを通って吹出した冷気を陳列パン６の上面に沿って流すことができる。このため、冷気孔８ａから吹出した冷気が陳列パン６の後端部と背面板８との間に生じた隙間に入り込み、陳列パン６の上に陳列されている商品に対する冷却性能が低下するということを防止することができる。このようにして、陳列パン６の傾斜角度を切替えた場合においてもその陳列パン６の上に陳列されている商品に対する冷却性能を維持することができる。
【符号の説明】
【００２５】
１    ショーケース
２    ショーケース本体
３    開口
４    商品陳列室
５    商品陳列部
６    陳列パン（商品陳列部）
６ａ  屈曲部
７    冷気ダクト
８    背面板
８ａ  冷気孔
９    冷却器
１０    ファン
１１    吹出口
１２    吸込口
１３    陳列パン支持部
１４    手前側フレーム
１４ａ  棒部材
１４ｂ  棒部材
１５    奥側フレーム
１５ａ  棒部材
１５ｂ  棒部材
１５ｃ  突部
１６    陳列パン引掛部
１６ａ  脚部
１６ｂ  引掛部
１７    突部
１８    保持部
【図１】
2020031985.tif 000003
【図２】
2020031985.tif 000004
【図３】
2020031985.tif 000005
【図４】
2020031985.tif 000006
【図５】
2020031985.tif 000007